(57)【要約】【目的】  各個人会員の健康関連情報が簡便に得られ、比較的健康な人間でもその健康関連情報に無理なく接することができる健康関連情報提供装置を提供する。【解決手段】  健康状態分析手段３６により予め記憶された関係から前記個人会員の生体情報に基づいてその個人会員の健康状態が分析されると、健康関連情報検索手段３８によりその健康状態分析手段３６により分析された個人会員の健康状態に応じた検索条件で健康関連情報がインターネット上で検索され、表示手段４６によりその健康関連情報検索手段により検索された複数の健康関連情報が前記個人会員の端末装置に順次表示させられる。この結果、個人会員は自分で検索しなくても、自己の健康状態に応じた健康関連情報が自動的に端末装置１４に表示されるので、各個人会員の健康関連情報が簡便に得られ、比較的健康な人間でもその健康関連情報に無理なく接することができる。【選択図】                        図２
2005316661.tif 000002
【特許請求の範囲】
【請求項１】
予め登録された個人会員により操作される端末装置から通信回線を介して接続されたサーバを備え、該端末装置から提供された生体情報に基づいた健康関連情報を該端末装置へ提供するＩＴを活用した健康関連情報提供装置であって、
予め記憶された関係から前記個人会員の生体情報に基づいて該個人会員の健康状態を分析する健康状態分析手段と、
該健康状態分析手段により分析された個人会員の健康状態に応じた検索条件で健康関連情報をインターネット上で検索する健康関連情報検索手段と、
該健康関連情報検索手段により検索された複数の健康関連情報を前記個人会員の端末装置に順次表示させる表示手段と
を、含むことを特徴とするＩＴを活用した健康関連情報提供装置。
【請求項２】
前記個人会員の登録情報から該個人会員の生活に関連する生活関連情報をインターネット上で検索する生活関連情報検索手段を含み、
前記表示手段は、該生活関連情報検索手段により検索された複数の生活関連情報を前記複数の健康関連情報に混ぜて順次表示させるものである請求項１のＩＴを活用した健康関連情報提供装置。
【請求項３】
前記健康状態分析手段は、前記個人会員の生体情報に基づいて該個人会員の健康度を複数段階のいずれかに決定するものである請求項１または２のＩＴを活用した健康関連情報提供装置。
【請求項４】
前記個人会員の生体情報を測定して前記端末装置に供給する生体情報測定装置を含み、
該端末装置は、該端末装置に前記健康関連情報および／または生活関連情報が逐次表示されている期間に該生体情報測定装置により測定された生体情報を前記サーバに送信し、
該サーバは、該端末装置から送信された、生体情報に基づいて端末装置に逐次表示される健康関連情報および／または生活関連情報の表示と関連づけて解析することにより反応情報を算出する反応情報解析手段を備えたものである請求項１乃至３のいずれかのＩＴを活用した健康関連情報提供装置。
【請求項５】
前記個人会員の端末装置に提供してそこで利用されるくじを前記健康状態および使用頻度に応じた当選確率で作成するくじ作成手段を備え、
前記表示手段は、該くじ作成手段により作成されたくじを前記端末装置に表示させるものである請求項１乃至４のいずれかのＩＴを活用した健康関連情報提供装置。
【発明の詳細な説明】
【技術分野】
【０００１】
本発明は、各個人会員の健康関連情報を、その個人会員に替わってインターネット上で検索して提供するＩＴを活用した健康関連情報提供装置に関するものである。
【背景技術】
【０００２】
健康関連情報、たとえば健康のための運動製品や健康器具、サプリメントなどの健康食品や薬、運動器具や場所の提供、ダイエット方法や運動方法を説明するレンタルビデオなどに関しては、各個人の最も興味のある情報のひとつであり、書籍の記事を探したり、放送を聴いたり、インターネットを介して種々のホームページを検索したりすることにより入手されることができる。
【０００３】
また、特許文献１および２には、会員制の健康情報提供システムが開示されており、そこでは、個人会員が自己の生体情報に基づいて仮想的な病院との間で医療情報の提供を受けることができる。
【特許文献１】特開２００３−２６３５０４号公報
【特許文献２】特開２００３−２６３５０５号公報
【発明の開示】
【発明が解決しようとする課題】
【０００４】
しかしながら、書籍の記事、放送の聴取、インターネットを介した検索はいずれも煩雑であり、手間のかかるものであった。また、会員制の健康情報提供システムでの仮想的な病院との情報の授受は、疾病を前提としているため比較的健康な人間にとってはそれほど必要を感じないものであり、利用に躊躇する傾向が大きいものであった。すなわち、上記従来の健康関連情報の入手方法は比較的健康な人間にとって煩雑な面倒なものであり、たとえ行ったとしてもって長続きするものではなかった。
【０００５】
中年以降或いは危険因子を持つ人は、生活習慣に留意して生活すべきであり、食事、運動などに注意し、薬を服用していれば医師の指導に従って病気の回復あるいは悪化させないように努めることが、ＱＯＬを高め、健康寿命を延ばすことにつながり、幸せな一生をおくれる可能性が高まる。しかし、一般に、自覚症状のない或いは未病の段階の人は、健康維持に対するモチベーションが低いため、生活習慣に無頓着となる傾向にあり、生活習慣に無頓着になりがちな人は知っていても所謂三日坊主で実行できなかったり、忙しいため必要な情報を入手できない或いは忘れてしまっている人が多い。食の欧米化や便利な道具とか機器の使用のため皮肉なことに、生活習慣病を発病する確率が若年層にまで高くなっており、それが国家レベルの由々しき問題となっている。
【０００６】
本発明は以上の事情を背景として為されたもので、その目的とするところは、各個人会員の健康関連情報が簡便に得られ、比較的健康な人間でもその健康関連情報に無理なく接することができるＩＴを活用した健康関連情報提供装置を提供することにある。
【課題を解決するための手段】
【０００７】
上記目的を達成するための請求項１に係る発明の要旨とするところは、予め登録された個人会員により操作される端末装置から通信回線を介して接続されたサーバを備え、該端末装置から提供された生体情報に基づいた健康関連情報を該端末装置へ提供する健康関連情報提供装置であって、(a) 予め記憶された関係から前記個人会員の生体情報に基づいて該個人会員の健康状態を分析する健康状態分析手段と、(b) その健康状態分析手段により分析された個人会員の健康状態に応じた検索条件で健康関連情報をインターネット上で検索する健康関連情報検索手段と、(c) その健康関連情報検索手段により検索された複数の健康関連情報を前記個人会員の端末装置に順次表示させる表示手段とを、含むことを特徴とする。
【０００８】
また、請求項２に係る発明の要旨とするところは、上記請求項１に係る発明において、(d) 前記個人会員の登録情報から該個人会員の生活に関連する生活関連情報をインターネット上で検索する生活関連情報検索手段をさらに含み、(e) 前記表示手段は、その生活関連情報検索手段により検索された複数の生活関連情報を前記複数の健康関連情報に混ぜて順次表示させるものであることを特徴とする。
【０００９】
また、請求項３に係る発明の要旨とするところは、上記請求項１または２に係る発明において、(f) 前記健康状態分析手段は、前記個人会員の生体情報に基づいて該個人会員の健康度を複数段階のいずれかに決定するものであることを特徴とする。
【００１０】
また、請求項４に係る発明の要旨とするところは、上記請求項１乃至３のいずれかの発明において、(g) 前記個人会員の生体情報を測定して前記端末装置に供給する生体情報測定装置をさらに含み、(h) 前記端末装置は、その端末装置に前記健康関連情報および／または生活関連情報が逐次表示されている期間に上記生体情報測定装置により測定された生体情報を前記サーバに送信し、(i) 上記サーバは、上記端末装置から送信された、生体情報に基づいて端末装置に逐次表示される健康関連情報および／または生活関連情報の表示と関連づけて反応情報を解析する解析手段を備えたものであることを特徴とする。
【００１１】
また、請求項５に係る発明の要旨とするところは、前記個人会員の端末装置に提供してそこで利用されるくじを前記健康状態および使用頻度に応じた当選確率で作成するくじ作成手段をさらに備え、前記表示手段は、そのくじ作成手段により作成されたくじを前記端末装置に表示させるものであることを特徴とする。
【発明の効果】
【００１２】
上記目的を達成するための請求項１に係る発明では、健康状態分析手段により予め記憶された関係から前記個人会員の生体情報に基づいてその個人会員の健康状態が分析されると、健康関連情報検索手段によりその健康状態分析手段により分析された個人会員の健康状態に応じた検索条件で健康関連情報がインターネット上で検索され、表示手段によりその健康関連情報検索手段により検索された複数の健康関連情報が前記個人会員の端末装置に順次表示させられる。この結果、個人会員は自分で検索しなくても、自己の健康状態に応じた健康関連情報が自動的に端末装置に表示されるので、各個人会員の健康関連情報が簡便に得られ、比較的健康な人間でもその健康関連情報に無理なく接することができる。
【００１３】
また、請求項２に係る発明では、前記個人会員の登録情報からその個人会員の生活に関連する生活関連情報をインターネット上で検索する生活関連情報検索手段がさらに含まれ、前記表示手段は、その生活関連情報検索手段により検索された複数の生活関連情報を前記複数の健康関連情報に混ぜて順次表示させるものであることから、各個人会員は、健康関連情報を生活関連情報と混在した状態で興味をもって端末装置の表示を見ることができるので、健康関連情報が簡便に得られるとともに、その健康関連情報に無理なく接することができる。
【００１４】
また、請求項３に係る発明は、前記健康状態分析手段は、前記個人会員の生体情報に基づいて個人会員の健康度を複数段階のいずれかに決定するものであることから、その個人会員の健康度に適した利用度の高い健康関連情報が提供されることができる。
【００１５】
また、請求項４に係る発明では、前記個人会員の生体情報を測定して前記端末装置に供給する生体情報測定装置がさらに含まれ、その端末装置に前記健康関連情報および／または生活関連情報が逐次表示されている期間に上記生体情報測定装置により測定された生体情報が上記端末装置から前記サーバに送信され、上記サーバは、その端末装置から送信された生体情報に基づいて端末装置に逐次表示される健康関連情報および／または生活関連情報の表示と関連づけて反応情報を解析する反応情報解析手段を備えたものであることから、その反応情報解析手段から出力される反応情報によって、個人会員がそのような情報に興味を持ったかに基づいてその個人会員に提供する情報の内容を変更し或いは改良することができる。
【００１６】
また、請求項５に係る発明では、前記個人会員の端末装置に提供してそこで利用されるくじを前記健康状態および使用頻度に応じた当選確率で作成するくじ作成手段をさらに備え、前記表示手段は、そのくじ作成手段により作成されたくじを前記端末装置に表示させるものであることから、個人会員のエンターテインメント的な興味を促進できるので、健康関連情報提供サービスの継続的利用に効果がある。
【発明を実施するための最良の形態】
【００１７】
ここで、好適には、生体情報測定装置は、個人会員の血圧、脈圧、血流、血管径、ＦＭＤ（flow-medeated dilation: 内皮依存性血管拡張反応）、体重、体温、脈拍、動脈波形の特徴値、ＥＣＧ波形、脈波伝播速度、脳波、自律神経活性度等の生体情報を測定される。この生体情報は、前記端末装置およびサーバの少なくとも一方において蓄積される。好適には、端末装置またはサーバには、このような測定値の経時的な変化値や統計値等のトレンド情報を生体情報の一種として算出する統計値手段が備えられる。
【００１８】
また、好適には、前記サーバは通常は１台の比較的高速大容量且つ大型コンピュータによって構成されるが、複数台のコンピュータによって構成されていてもよく、また、それら複数台のコンピュータは分散配置されていてもよい。
【００１９】
また、前記端末装置は、表示器と通信機能とを備えたコンピュータであればよく、好適には、固定型パソコン、携帯型パソコン、携帯電話機等が用いられる。また、この端末装置は、有線、無線、ＬＡＮ等を介して生体情報測定装置と接続される。
【００２０】
また、好適には、前記通信回線は、インターネット、ＬＡＮ、光回線、無線回線、電話回線等のいずれの通信可能な回線であればよい。
【００２１】
また、好適には、前記健康状態分析手段は、前記個人会員の健康状態を、たとえば５段階乃至２５段階のように複数の段階に分析する。
【実施例】
【００２２】
以下、本発明の好適な実施の形態について図面を参照しつつ詳細に説明する。図１は、本発明の一実施例のＩＴを活用した健康関連情報提供装置に対応するサーバ１０の使用例を説明する図である。図１において、サーバ１０は、健康関連情報の提供会社が健康関連情報提供サービスのために運営するコンピュータであり、複数台の個人会員用端末装置１４と通信回線の一種であるインターネット１２を介して相互通信可能に接続されている。この端末装置１４は、ＥＬ表示板、ブラウン管、ＬＣＤ（液晶表示板）等の画像表示可能な表示装置１６と、コンピュータ、記憶装置、インターフェース等から成る本体１８と、キーボード２０とを備え、生体情報測定装置２２に有線或いは無線で接続されている。その生体情報測定装置２２は、個人会員の血圧ＢＰ、脈圧、血流、FMD(内皮依存性血管拡張反応) 体重ＢＷ、体温ＢＴ、脈拍数（心拍数）ＨＲ、動脈波形の特徴値たとえば圧増大係数ＡＩ、ＥＣＧ波形、脈波伝播速度ＰＷＶ、脳波、自律神経活性度等のうちの少なくとも１種以上の生体情報を、たとえば外部からの起動信号の供給或いはや個人会員による起動操作に応答して測定を開始する機能を備え、測定結果を上記会員用端末装置１４へそれぞれ出力してそこで蓄積させる。
【００２３】
生体情報測定装置２２では、たとえば、演算機能を有するマイクロコンピュータと、個人会員の上腕部を圧迫するカフが備えられ、そのカフによる圧迫を用いて血圧値が決定される。また、動脈に押圧された圧力センサからの脈の圧波形が検出され、その脈の圧波形或いは後述の心電誘導波形から心拍数ＨＲが逐次算出される。また、そのカフ脈波の形状の特徴値から圧増大係数ＡＩが算出される。この振幅指数AIは、動脈の硬化度に関連するパラメータであり、動脈波に対応するカフ脈波を構成する進行波成分の振幅と反射波成分の振幅との比或いは割合である。また、上記生体情報測定装置２２では、体温センサ、体重センサ、心電誘導装置、超音波センサなどが備えられ、個人会員の体温ＢＴ、体重ＢＷ、心電誘導波形、血管径等が求められる。
【００２４】
また、上記生体情報測定装置２２では、一拍毎に算出される心拍数HRからその心拍数ＨＲ、血管径、或いは心拍周期のゆらぎが求められるとともに、一拍毎に推定される血圧値ＢＰから血圧値のゆらぎが求められ、それらの心拍周期のゆらぎおよび血圧値のゆらぎに基づいて自律神経の活性度が算出される、また、心電誘導波形のＲ波と前記カフ脈波の立ち上がり部位との間の時間差から動脈の硬化度等を評価できる脈波伝播速度ＰＷＶが算出される。また、心音マイクロホンおよび頸動脈センサが備えられる場合には、その心音センサにより検出される心音のII音から頸動脈波のダイクロティックノッチまでの伝播時間と距離とに基づいて脈波伝播速度ＰＷＶが算出される。頸動脈センサにより検出された頸動脈波に基づいても前記振幅指数ＡＩが算出され得る。
【００２５】
前記サーバ１０は、中央演算処理装置ＣＰＵ、制御プログラムが記憶されたＲＯＭ、一時的記憶装置として機能するＲＡＭ、表示装置、ターミナルアダプタＴＡを介して通信回線１２に接続される入出力インターフェースなどを有する高性能の大型コンピュータであり、種々の情報を記憶したデータベース（ＤＢ）を有する記憶装置２８を備えている。この記憶装置２８には、健康関連情報サービスを運営するために必要が種々のデータベースが設けられている。上記サーバ１０は、その個人会員の生体情報からその生体情報の経過やトレンドなどの蓄積生体情報を作成し、その個人会員の生体情報から健康関連情報をインターネット１２を通して検索し、その個人会員の個人情報から生活関連情報をインターネット１２を通して検索し、それら蓄積生体情報、健康関連情報、および生活関連情報を、くじのようなエンターテイメント用コンテンツを織り交ぜて自動的にその個人会員の端末装置１４に逐次表示させる。
【００２６】
図２は、上記サーバ１０の制御機能の要部を説明する機能ブロック線図である。サーバ１０には、健康関連情報を得るために無料或いは有料の契約により予め登録されて会員となっている個人会員の個人情報たとえば会員ＩＤ、認証コード、住所、氏名、年齢、性別、身長、学歴、趣味や、生体情報測定装置２２により測定されて端末装置１４から送信される個人の生体情報、それから評価された個人の健康度等を記憶するための会員ＤＢ（データベース）３０と、個人会員の生体情報に関連して検索した健康関連情報を記憶するための健康関連情報ＤＢ（データベース）３２と、個人会員の年齢、性別、住所等に関連して検索した生活関連情報を記憶するための健康関連情報ＤＢ（データベース）３４と、表示させるために編集されたコンテンツを蓄積するためのコンテンツＤＢ（データベース）３５と、蓄積生体情報を記憶するための図示しない生体情報ＤＢとが設けられている。上記健康関連情報とは、病気を悪化させない或いは病気を発生させないための運動情報、病気を悪化させない或いは病気を発生させないための食品情報、医薬の情報、医療機関の情報、専門医の情報等の、健康の維持或いは健康度を向上させるために直接寄与する情報である。上記生活関連情報とは、地域のレストラン情報、食品の売り出しや販売の情報、衣服の売り出しや販売の情報、お祭りや市等の地域の催し物情報、講演会情報、展示会情報、博覧会情報、ニュース、株価、天気予報等であって、健康の維持或いは健康度を向上させることとは直接の関連がないが、快適な生活や楽しい生活を送る上で有用な情報である。
【００２７】
健康状態分析手段３６は、会員登録された各個人が操作する端末装置１０のいずれかから、それに蓄積された生体情報がその会員の操作に基づいて或いは予め定められた期間毎に定期的に送信されると、予め記憶された評価プログラムからその生体情報に基づいて、たとえば表１に示すように、上記生体情報を送信してきた特定の個人会員について健康状態レベルを５段階に分析する。たとえば、異常があれば病名を診断をしたり、その異常の有無を含む健康度レベルを評価したりする。
【００２８】
健康関連情報検索手段３８は、各健康状態すなわち健康度とその健康状態に有用な健康関連情報を検索するためのキーワードすなわち検索条件語との予め記憶された関係を有する検索エンジンを備え、この関係から上記健康状態分析手段３６により上記特定の個人会員について分析された健康状態に基づいて決まるキーワードを用いてインターネット上で健康関連情報の検索を行い、得られた健康関連情報を健康関連情報ＤＢ３２に蓄積する。この検索は、逐次行われてもよいが、バッチ的に検索が行われて、健康度合あるいは健康状態毎に検索結果を健康関連情報ＤＢ３２に予め記憶させてもよい。
【００２９】
生活関連情報検索手段４０は、住所、氏名、年齢、性別、身長、学歴、趣味等の個人情報とその個人情報を所有している人に有用な生活関連情報を検索するためのキーワードとの予め記憶された関係を有する検索エンジンを備え、この関係から前記生体情報を送信してきた特定の個人会員について会員ＤＢ３０に記憶されている個人情報に基づいて決まるキーワードを用いてインターネット上で生活関連情報の検索を行い、得られた生活関連情報を生活関連情報ＤＢ３４に蓄積する。この検索は、逐次行われてもよいが、バッチ的に検索が行われて、生活関連情報の検索結果を個人情報の分類毎に生活関連情報ＤＢ３４に予め記憶させてもよい。
【００３０】
くじ作成手段４２は、健康関連情報提供サービスの継続的利用に寄与するコンテンツとして、端末装置１４に提供してそこで利用されるくじを健康度および使用頻度に応じた当選確率で作成し、コンテンツＤＢ３５に記憶させる。すなわち、くじ作成手段４２は、会員の健康状態と健康関連情報提供サービスの使用頻度とに基づいて上記くじの当選確率を変更する。たとえば、基本確率をＫB 、健康度修正係数をＣK 、使用頻度修正係数をＣS とすると、当選確率Ｋは次式１から求められる。また、健康度を健康に近くなる程高くなる順に５段階のレベルＬ１乃至Ｌ５とすると、上記健康度修正係数ＣK はたとえば表１の関係から求められる。また、健康関連情報提供サービスの使用頻度を少ない順から５段階のグループＧ１乃至Ｇ５とすると、上記使用頻度修正係数ＣS はたとえば表２の関係から求められる。表１および表２の関係から明らかなように、健康度のレベルが上がる程且つ利用頻度が上がるほど上記のくじの当選確率が高く設定される。たとえば、基本確率ＫB が０．０１（＝１／１００）であり、健康度レベルがＬ５であり且つ使用頻度グループがＧ５であるとすると、くじの当選確率Ｋは０．２５（＝１／４）となる。
【００３１】
Ｋ＝ＣK ・ＣS ・ＫB ・・・（式１）
【００３２】
［表１］
健康度レベル        Ｌ１  Ｌ２  Ｌ３  Ｌ４  Ｌ５
健康度修正係数ＣK     １    ２    ３    ４    ５
【００３３】
［表２］
使用頻度グループ    Ｇ１  Ｇ２  Ｇ３  Ｇ４  Ｇ５
使用頻度修正係数ＣK   １    ２    ３    ４    ５
【００３４】
提供情報編集記憶手段４４は、上記健康関連情報検索手段３８により前記生体情報を送信してきた特定の個人会員について検索された健康関連情報と、上記生活関連情報検索手段４０により前記生体情報を送信してきた特定の個人会員について検索された生活関連情報と、上記くじ作成手段４２により作成されたくじとを編集し、その編集された提供情報を順次提供するための編集データを記憶する。この編集では、たとえば、健康関連情報と生活関連情報とがたとえば交互となるように織り交ぜて表示されるようにするとともに、所定の表示期間が経過した後に上記くじが表示されるように編集される。
【００３５】
表示手段４６は、提供情報を送信する提供情報送信手段でもあり、上記提供情報編集手段４４により編集された提供情報を上記個人会員の端末装置１４へ送信し、その端末装置１４の表示装置１６に蓄積生体情報、健康関連情報、生活関連情報、くじが逐次表示させる。この表示内容は、図示しない蓄積生体情報ＤＢ、生活関連ＤＢ３２、健康関連ＤＢ３４、コンテンツＤＢ３５から編集データに従って順次引き出される。
【００３６】
反応情報解析記憶手段４８は、前記特定の個人会員の端末装置１４から送信されてくる生体情報のうち、たとえば心拍数ＨＲ或いは血圧ＢＰの変化とその端末装置１４の表示装置１６に表示されている情報との関連性を解析し且つ記憶する。たとえば、所定の表示情報であるときに心拍数ＨＲ或いは血圧ＢＰが有意に上昇する場合は、その表示情報の影響或いは効果が大きいと解析する。このような表示情報に対する反応を解析した反応情報解析結果は、必要に応じて取り出されて前記健康関連情報検索手段３８においてキーワード決定のために用いられる関係の修正、生活関連情報検索手段４０においてキーワード決定のために用いられる関係の修正、提供情報編集手段４４の編集等に反映される。
【００３７】
図３は端末装置１４の制御作動の要部を説明するフローチャートであり、図４は上記サーバ１０の制御機能の要部を説明するフローチャートであり、短い周期で繰り返し実行される。
【００３８】
図３において、ステップＴ１では、生体情報測定装置２２が起動されたか否かが判断される。このステップＴ１の判断が否定される場合はステップＴ２において健康関連情報の情報提供サイト選択操作が行われたか否かが判断される。このステップＴ２の判断が否定される場合は本ルーチンが終了させられる。しかし、上記ステップＴ１およびステップＴ２のいずれかの判断が肯定される場合は、ステップＴ３において健康関連情報の情報提供サイトが選択され、前記サーバ１０に接続される。次いで、ステップＴ４では、手動検索が個人会員によって選択されたか否かが判断される。このＴ４の判断が肯定される場合は、Ｔ５において手動検索モードが設定される。この場合は、インターネット端末である端末装置１４の操作により手動検索が可能とされ、自動表示が一時的に停止させられる。通常、一定時間経過しても任意の検索入力がない場合は自動表示に切り換えられる。上記Ｔ４の判断が否定されると、上記情報提供サイトから提供された情報が表示されるとともに、ステップＴ７において、生体情報測定装置２２から生体情報測定値が出力されたか否かが判断される。このステップＴ７の判断が否定される場合はステップＴ８が実行されないでステップＴ９が実行されるが、ステップＴ７の判断が肯定される場合はステップＴ８において生体情報測定値がサーバ１０へ送信された後、ステップＴ９において個人会員による終了操作が行われたか否かが判断される。このステップＴ９の判断が否定されるうちは上記Ｔ４乃至Ｔ８が繰り返されるが、肯定されると本ルーチンが終了させられる。
【００３９】
図４において、ステップＳ１では、端末装置１４からのアクセスがあったか否かが判断される。このステップＳ１の判断が否定される場合は本ルーチンが終了させられるが、肯定される場合はステップＳ２において、アクセスがあった端末装置１４の表示装置１６に表示させるための提供情報が出力される。この提供情報は、生体情報測定装置２２の起動に関連する案内や、その端末装置１４を操作する会員の前回までの生体情報に基づく健康関連情報や生活関連情報などである。
【００４０】
次いで、Ｓ３において端末装置１４から送信された所定の個人会員の新たに測定された生体情報を受信したか否かが判断される。このＳ３の判断が否定される場合は本ルーチンが終了させられるが、肯定される場合は、ステップＳ４において、所定の個人会員の新たに測定された生体情報が記憶されて蓄積される。この生体情報は、端末装置１４において蓄積され、新たに測定された生体情報を含む蓄積された生体情報が受信されるようにしてもよい。次に、上記健康状態分析手段３６に対応するステップＳ５において、予め記憶された評価プログラムから上記新たに測定された生体情報を含む蓄積されたその生体情報に基づいて、上記生体情報を送信してきた特定の個人会員について健康状態が分析され、異常があれば病名を診断をしたり、その異常の有無を含む健康度レベルが評価される。
【００４１】
続いて、前記健康関連情報検索手段３８に対応するステップＳ６では、各健康状態すなわち健康度とその健康状態に有用な健康関連情報を検索するためのキーワードすなわち検索条件語との予め記憶された関係から、上記ステップＳ５により上記の個人会員について分析された健康状態に基づいて決まるキーワードを用いてインターネット上で健康関連情報の検索が行われ、得られた健康関連情報が健康関連情報ＤＢ３２に蓄積される。
【００４２】
次いで、前記生活関連情報検索手段４０に対応するステップＳ７では、住所、氏名、年齢、性別、身長、学歴、趣味等の個人情報とその個人情報を所有している人に有用な生活関連情報を検索するためのキーワードとの予め記憶された関係から、上記生体情報を送信してきた特定の個人会員について会員ＤＢ３０に記憶されている個人情報に基づいて決まるキーワードを用いてインターネット上で生活関連情報の検索が行われ、得られた生活関連情報が生活関連情報ＤＢ３４に蓄積される。
【００４３】
また、前記くじ作成手段４２に対応するステップＳ８では、健康関連情報提供サービスの継続的利用に寄与するように、端末装置１４に提供してそこで利用されるくじが、会員の健康度レベルＬと健康関連情報提供サービスの使用頻度グループＧとに基づいて当選確率が変更されることにより作成され、コンテンツＤＢ３５に記憶される。たとえば、健康度修正係数ＣK が表１の関係から健康度レベルＬ１乃至Ｌ５のいずれかに基づいて決定され、使用頻度修正係数ＣS が表示２の関係から使用頻度グループＧ１乃至Ｇ５のいずれかに基づいて決定され、それら健康度修正係数ＣK および使用頻度修正係数ＣS に基づいてくじの当選確率Ｋが次式１から求められる。
【００４４】
次に、前記提供情報編集記憶手段４４に対応するステップＳ９では、上記ステップＳ６により前記生体情報を送信してきた特定の個人会員について検索された健康関連情報と、上記ステップＳ７により前記生体情報を送信してきた特定の個人会員について検索された生活関連情報と、上記ステップＳ８により作成されたくじとの表示コンテンツの表示方法および順序が、健康関連情報と生活関連情報とが織り交ぜて表示されるとともに、所定の表示期間が経過した後に上記くじが表示されるように編集され、その編集データが記憶される。
【００４５】
そして、前記表示手段４６に対応するステップＳ１０では、上記ステップＳ９において個人会員の個人データに応じて編集された編集データに従って、蓄積生体情報、健康関連情報、生活関連情報、くじ等のコンテンツが、図示しない生体情報ＤＢ、健康関連情報ＤＢ３２、生活関連情報ＤＢ３４、コンテンツＤＢ３５から順次引き出され、生体情報を送信して来た上記個人会員の端末装置１４へ提供情報として送信され、その端末装置１４の表示装置１６で逐次表示させられる。
【００４６】
すなわち、上記ステップＳ１０により、図５の画面に例示される蓄積生体情報、図６および図７の画面に例示される健康関連情報、図８および図９の画面に例示される生活関連情報、図１０の画面に例示されるくじが、端末装置１４の画面１６において、順次表示される。
【００４７】
前記反応情報解析記憶手段４８に対応するステップＳ１１では、特定の個人会員の端末装置１４から送信されてくる生体情報のうち、たとえば心拍数ＨＲ或いは血圧ＢＰの変化とその端末装置１４の表示装置１６に表示されている情報との関連性が解析され、心拍数ＨＲ或いは血圧ＢＰが有意に上昇するときに表示されていた提供情報の影響或いは効果が大きいと解析され記憶される。このような表示情報に対する反応を解析した反応情報解析結果は、必要に応じて出力され、たとえば健康関連情報検索手段３８においてキーワード決定のために用いられる関係の修正、生活関連情報検索手段４０においてキーワード決定のために用いられる関係の修正、提供情報編集手段４４の編集等に用いられる。
【００４８】
上述のように、本実施例によれば、健康状態分析手段３６（Ｓ５）により予め記憶された関係から前記個人会員の生体情報に基づいてその個人会員の健康状態が分析されると、健康関連情報検索手段３８（Ｓ６）によりその健康状態分析手段３６により分析された個人会員の健康状態に応じた検索条件で健康関連情報がインターネット上で検索され、表示手段４６（Ｓ１０）によりその健康関連情報検索手段により検索された複数の健康関連情報が前記個人会員の端末装置に順次表示させられる。この結果、個人会員は自分で検索しなくても、自己の健康状態に応じた健康関連情報が自動的に端末装置１４に表示されるので、各個人会員の健康関連情報が簡便に得られ、比較的健康な人間でもその健康関連情報に無理なく接することができる。このように、本実施例のＩＴを活用した健康関連情報提供装置に対応するサーバ１０によれば、飽きることなく健康関連情報に無理なく継続的に接することができるので、継続して生活習慣を改善しようとするモチベーションが向上するとともに、生活習慣病の早期診断、早期発見に寄与する効果がある。
【００４９】
また、本実施例によれば、サーバ１０による健康関連情報提供サービスを継続して利用することで、前記個人会員の生体情報から長期にわたって蓄積され、その結果、生活習慣病の早期診断、早期発見、短期回復がより正確に、効率よく実践できるノウハウが開発され得て提供される。
【００５０】
また、本実施例によれば、前記個人会員の登録情報からその個人会員の生活に関連する生活関連情報をインターネット上で検索する生活関連情報検索手段４０（Ｓ７）がさらに含まれ、前記表示手段４６は、その生活関連情報検索手段４０により検索された複数の生活関連情報を前記複数の健康関連情報に混ぜて順次表示させるものであることから、各個人会員は、健康関連情報を生活関連情報と混在した状態で興味をもって端末装置１４の表示を見ることができるので、健康関連情報が簡便に得られるとともに、その健康関連情報に無理なく接することができる。
【００５１】
また、本実施例によれば、前記健康状態分析手段３６（Ｓ５）は、前記個人会員の生体情報に基づいて個人会員の健康度を複数段階の健康度レベルＬ１乃至Ｌ５いずれかに決定するものであることから、その個人会員の健康度に適した利用度の高い健康関連情報が提供される。
【００５２】
また、本実施例によれば、前記個人会員の生体情報を測定して端末装置１４に供給する生体情報測定装置２２がさらに含まれ、その端末装置１４に前記健康関連情報および／または生活関連情報が逐次表示されている期間に上記生体情報測定装置２２により測定された生体情報が上記端末装置１４からサーバ１０に送信され、上記サーバ１０は、その端末装置１４から送信された生体情報に基づいて端末装置１４に逐次表示される健康関連情報および／または生活関連情報の表示と関連づけて反応情報を解析する反応情報解析手段４８（Ｓ１１）を備えたものであることから、その反応情報解析手段４８から出力される反応情報によって、個人会員がそのような情報に興味を持ったかに基づいてその個人会員に提供する情報の内容を変更し或いは改良することができる。
【００５３】
なお、前述の実施例において、生活関連情報検索手段４０、くじ作成手段４２、提供情報編集手段４４、反応情報解析手段４８は必ずしも設けられていなくてもよい。
【００５４】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【００５５】
【図１】本発明が適用された健康関連情報提供装置と複数台の端末装置とが通信回線を介して接続された構成を説明する図である。
【図２】図１のサーバの制御機能の要部を説明するための機能ブロック線図である。
【図３】図１の端末装置の制御作動の要部を説明するフローチャートである。
【図４】図１のサーバの制御作動の要部を説明するフローチャートである。
【図５】図１のサーバにより端末装置の画面に表示される蓄積生体情報の表示例を示す図である。
【図６】図１のサーバにより端末装置の画面に表示される健康関連情報の表示例を示す図である。
【図７】図１のサーバにより端末装置の画面に表示される他の健康関連情報の表示例を示す図である。
【図８】図１のサーバにより端末装置の画面に表示される生活関連情報の表示例を示す図である。
【図９】図１のサーバにより端末装置の画面に表示される他の生活関連情報の表示例を示す図である。
【図１０】図１のサーバにより端末装置の画面に表示されるくじの表示例を示す図である。
【符号の説明】
【００５６】
１０：サーバ（健康関連情報提供装置）
１２：インターネット（通信回線）
１４：端末装置
２２：生体情報測定装置
３６：健康状態分析手段
３８：健康関連情報検索手段
４０：生活関連情報検索手段
４２：くじ作成手段
４４：提供情報編集記憶手段
４６：表示手段
４８：反応情報解析記憶手段
【図１】
2005316661.tif 000003
【図２】
2005316661.tif 000004
【図３】
2005316661.tif 000005
【図４】
2005316661.tif 000006
【図５】
2005316661.tif 000007
【図６】
2005316661.tif 000008
【図７】
2005316661.tif 000009
【図８】
2005316661.tif 000010
【図９】
2005316661.tif 000011
【図１０】
2005316661.tif 000012